(57)【特許請求の範囲】
【請求項１】
画像を形成する画像形成装置と、
形成された前記画像を投射する投射光学装置と、を備え、
前記画像形成装置は、
照明装置と、
前記照明装置から出射される光を変調する透過型の第１光変調装置と、
前記照明装置と前記第１光変調装置との間の光路上に着脱可能に配置され、第１方向に沿って入射された光を、前記第１方向に略直交する第２方向に出射し、前記照明装置から出射された光の中心軸に直交する面内の照度を領域毎に調整する調光装置と、を備え、
前記調光装置は、
前記照明装置から出射された光を変調する反射型の第２光変調装置と、
ミラーを含み、前記第２光変調装置によって変調された変調光を前記第１光変調装置に結像させる反射型のリレー装置と、
前記第２光変調装置から入射された前記変調光を前記リレー装置に導き、前記ミラーにて反射された前記変調光を前記第１光変調装置側に出射する偏光分離装置と、
前記偏光分離装置と前記リレー装置との間に配置され、入射される光を略円偏光とする位相差板と、を有し、
前記第１光変調装置と前記第２光変調装置とは、互いに略直交するように配置され、
前記変調光は、前記偏光分離装置で反射され、前記位相差板を透過して前記ミラーに入射し、前記ミラーで反射された前記変調光は、前記位相差板を透過したあと前記偏光分離装置を透過して前記第１光変調装置側に出射されることを特徴とするプロジェクター。
【請求項２】
請求項１に記載のプロジェクターであって、
前記第２光変調装置は、前記偏光分離装置に対して前記第１方向側に配置され、
前記リレー装置は、前記偏光分離装置に対して前記第２方向とは反対側に配置されていることを特徴とするプロジェクター。
【請求項３】
画像を形成する画像形成装置と、
形成された前記画像を投射する投射光学装置と、を備え、
前記画像形成装置は、
照明装置と、
前記照明装置から出射される光を変調する透過型の第１光変調装置と、
前記照明装置と前記第１光変調装置との間の光路上に着脱可能に配置され、第１方向に沿って入射された光を、前記第１方向に沿って出射し、前記照明装置から出射された光の中心軸に直交する面内の照度を領域毎に調整する調光装置と、を備え、
前記調光装置は、
前記照明装置から出射された光を変調する反射型の第２光変調装置と、
ミラーを含み、前記第２光変調装置によって変調された変調光を前記第１光変調装置に結像させる反射型のリレー装置と、
前記第２光変調装置から入射された前記変調光を前記リレー装置に導き、前記ミラーにて反射された前記変調光を前記第１光変調装置側に出射する偏光分離装置と、
前記偏光分離装置と前記リレー装置との間に配置され、入射される光を略円偏光とする位相差板と、を有し、
前記第１光変調装置と前記第２光変調装置とは、互いに略直交するように配置され、
前記変調光は、前記偏光分離装置を透過し、前記位相差板を透過して前記ミラーに入射し、前記ミラーで反射された前記変調光は、前記位相差板で反射されたあと前記偏光分離装置を透過して前記第１光変調装置側に出射されることを特徴するプロジェクター。
【請求項４】
請求項３に記載のプロジェクターであって、
前記第２光変調装置は、前記偏光分離装置に対して前記第１方向に略直交する第３方向に配置され、
前記リレー装置は、前記偏光分離装置に対して前記第３方向とは反対側に配置されていることを特徴とするプロジェクター。
【請求項５】
画像を形成する画像形成装置と、
形成された前記画像を投射する投射光学装置と、を備え、
前記画像形成装置は、
照明装置と、
前記照明装置から出射される光を変調する透過型の第１光変調装置と、
前記第１光変調装置を所定位置に配置可能な光学部品用筐体と、を備え、
前記光学部品用筐体は、
前記照明装置と前記第１光変調装置との間の光路上において、第１方向に沿って入射された光を、前記第１方向に略直交する第２方向に出射し、前記照明装置から出射された光の中心軸に直交する面内の照度を領域毎に調整する調光装置を配置可能に構成され、
前記調光装置は、
前記照明装置から出射された光を変調する反射型の第２光変調装置と、
ミラーを含み、前記第２光変調装置によって変調された変調光を前記第１光変調装置に結像させる反射型のリレー装置と、
前記第２光変調装置から入射された前記変調光を前記リレー装置に導き、前記リレー装置にて反射された前記変調光を前記第１光変調装置側に出射する偏光分離装置と、
前記偏光分離装置と前記リレー装置との間に配置され、入射される光を略円偏光とする位相差板と、を備え、
前記第１光変調装置と前記第２光変調装置とは、互いに略直交するように配置され、
前記変調光は、前記偏光分離装置で反射され、前記位相差板を透過して前記ミラーに入射し、前記ミラーで反射された前記変調光は、前記位相差板を透過したあと前記偏光分離装置を透過して前記第１光変調装置側に出射されることを特徴とするプロジェクター。
【請求項６】
請求項５に記載のプロジェクターであって、
前記光学部品用筐体に前記調光装置が配置されない場合には、前記偏光分離装置が配置可能な箇所に、少なくとも一部の光を反射する反射装置が配置されることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調する光変調装置と、変調され
た光を投射させる投射光学装置と、を備えたプロジェクターが知られている。このような
プロジェクターとして、投影画像のコントラストを向上させることを目的として、光学的
に直列に接続された２つの光変調装置を備えたプロジェクターが提案されている（例えば
、特許文献１参照）。
【０００３】
この特許文献１に記載のプロジェクターでは、光源部から出射された光は、均一照明系
及び反射ミラーを介した後、複数のダイクロイックミラーにより、赤、緑及び青の色光に
分離される。そして、各色光は、対応する第１変調手段である液晶ライトバルブ（色変調
ライトバルブ）によって変調され、クロスダイクロイックプリズムにより合成される。こ
の後、当該クロスダイクロイックプリズムにより合成された光は、前段レンズ群、開口絞
り及び後段レンズ群等の光学部材が直線的に配置された、両側テレセントリック性を有す
るリレー光学系を通過して、輝度変調部に入射される。輝度変調部は、液晶ライトバルブ
（輝度変調ライトバルブ）により、入射される光（色変調ライトバルブにより形成された
画像光）を変調して画素毎に光量を調整する。そして、輝度変調部を介した光は、投射レ
ンズによって投射される。このような構成により、投射される画像の階調を広げることが
でき、コントラストを向上させることができる。
【先行技術文献】
【特許文献】
【０００４】
【特許文献１】特開２００７−２１８９４６号公報
【発明の概要】
【発明が解決しようとする課題】
【０００５】
ところで、プロジェクターには、輝度変調ライトバルブを有する調光装置が設けられて
いない機種もある。このようなプロジェクターと、上述のような調光装置及びリレー光学
系が設けられているプロジェクターとで、光学設計や部品設計を個別に行うと、製造コス
トが増大する他、開発に時間を要する。このため、異なる機種間で光学設計や部品設計を
共用可能とする構成が要望されていた。
【０００６】
本発明は、上記課題の少なくとも一部を解決することを目的としたものであり、異なる
機種間で光学系を共用可能とするプロジェクターを提供することを目的の１つとする。
【課題を解決するための手段】
【０００７】
本発明の第１態様に係るプロジェクターは、画像を形成する画像形成装置と、形成され
た前記画像を投射する投射光学装置と、を備え、前記画像形成装置は、照明装置と、前記
照明装置から出射される光を変調する第１光変調装置と、前記照明装置と前記第１光変調
装置との間の光路上に配置され、前記照明装置から出射された光の中心軸に直交する面内
の照度を領域毎に調整する調光装置と、を備え、前記調光装置は、前記照明装置から出射
された光を変調する反射型の第２光変調装置と、前記第２光変調装置によって変調された
変調光を前記第１光変調装置に結像させる反射型のリレー装置と、を有することを特徴と
する。
【０００８】
上記第１態様によれば、調光装置は、反射型の第２光変調装置及びリレー装置を備える
。この調光装置では、照明装置からの光が、反射型の第２光変調装置によって変調される
とともに反射され、反射された変調光が、反射型のリレー装置によって第１光変調装置に
結像される。
このように構成された調光装置では、照明装置から第２光変調装置までの光路長が、仮
に調光装置を外した場合の照明装置から第１光変調装置までの光路長と略同じになるよう
に、光路を設計できる（すなわち、第２光変調装置やリレー装置の配置位置や、リレー装
置の光学設計等を適宜設定できる）。これにより、プロジェクターから調光装置を外すこ
とによって、調光機能を有さないプロジェクターを構成でき、調光装置を備えるプロジェ
クターと、備えない他の機種のプロジェクターとで、構成する部品の大部分を共通化でき
る。従って、異なる複数の機種を製造する際のコストを削減できる他、当該複数の機種の
開発に要する時間を短縮できる。
【０００９】
上記第１態様では、前記調光装置は、前記第２光変調装置から入射される前記変調光を
前記リレー装置に導き、前記リレー装置にて反射された前記変調光を前記第１光変調装置
側に出射する偏光分離装置と、前記偏光分離装置と前記リレー装置との間に配置され、入
射される光を略円偏光とする位相差板と、を有することが好ましい。
上記第１態様によれば、調光装置では、第２光変調装置によって変調された変調光が、
偏光分離装置に入射され、当該偏光分離装置を通過して、反射型のリレー装置に入射され
る。この変調光は、反射型のリレー装置に入射され、リレー装置によって反射された後に
、リレー装置から出射されて、再び偏光分離装置に入射される過程で、略円偏光として反
射型のリレー装置に入射し、反射されて円偏光の回転方向が反転することによって、偏光
方向が変換される。従って、第２光変調装置から入射される変調光と、リレー装置によっ
て反射された変調光とを偏光方向の違いによって偏光分離装置にて確実に分離できる。こ
れにより、第２光変調装置による変調光をリレー装置に確実に導くことができる他、当該
リレー装置によって反射されて第１光変調装置に結像される変調光を、当該第１光変調装
置側に確実に出射できる。
そして、このような調光装置では、上記変調光が、偏光分離装置とリレー装置との間を
反射により往復した後、当該偏光分離装置から第１光変調装置側に出射されるので、調光
装置の各構成をコンパクトに配置できる。従って、調光装置を小型化でき、ひいては、プ
ロジェクターを小型化できる。
【００１０】
上記第１態様では、前記調光装置は、第１方向に沿って入射された光を、前記第１方向
に略直交する第２方向に出射することが好ましい。
上記第１態様によれば、例えば、調光装置が設けられていないプロジェクターにおいて
、光の進行方向を反射によって変更するミラーの配置位置に、当該調光装置を配置できる
他、当該ミラーを省略できる。
【００１１】
上記第１態様では、前記第２光変調装置は、前記偏光分離装置に対して前記第１方向側
に配置され、前記リレー装置は、前記偏光分離装置に対して前記第２方向とは反対側に配
置されていることが好ましい。
上記第１態様によれば、照明装置から第１方向に沿って入射される光は、偏光分離装置
を介して第２光変調装置に入射され、当該第２光変調装置によって反射された変調光は、
再び偏光分離装置に入射される。そして、当該変調光は、偏光分離装置によって第２方向
とは反対方向に反射されてリレー装置に入射され、当該リレー装置によって反射された変
調光は、偏光分離装置を介して第２方向に出射される。これによれば、調光装置の各構成
を確実にコンパクトに配置できる。この他、第１方向に沿って入射される光を第２方向に
沿って確実に出射できるので、上記ミラーに代えて調光装置を配置することにより、調光
装置を備えるプロジェクターを簡易に構成できる。
【００１２】
上記第１態様では、前記調光装置は、第１方向に沿って入射された光を、前記第１方向
に沿って出射することが好ましい。
上記第１態様によれば、調光装置に対する光の入射方向と、当該調光装置による変調光
の出射方向とは一致する。これによれば、調光装置がないプロジェクターにおいて照明装
置から出射された光の光路上に、調光装置を容易に配置できる。従って、調光装置を備え
るプロジェクターから、調光装置を取り外すだけで調光装置を備えないプロジェクターと
することができる。また、調光装置の配置する向きを変えることが可能なので、スペース
を有効に活用でき、プロジェクターを小型化することが可能となる。
【００１３】
上記第１態様では、前記第２光変調装置は、前記偏光分離装置に対して前記第１方向に
略直交する第３方向に配置され、前記リレー装置は、前記偏光分離装置に対して前記第３
方向とは反対側に配置されていることが好ましい。
上記第１態様によれば、照明装置から第１方向に沿って入射される光は、偏光分離装置
にて第３方向に反射されて第２光変調装置に入射され、当該第２光変調装置によって反射
された変調光は、再び偏光分離装置に入射される。この変調光は、偏光分離装置を介して
、当該偏光分離装置を挟んで第２光変調装置とは反対側に位置するリレー装置に入射され
る。そして、当該変調光は、リレー装置によって反射されて偏光分離装置に入射され、当
該偏光分離装置にて反射されて第１方向に出射される。これによれば、調光装置の各構成
を確実にコンパクトに配置できる。この他、第１方向に沿って入射される光を当該第１方
向に沿って出射するので、調光装置を備えるプロジェクターから、調光装置を取り外すだ
けで調光装置を備えないプロジェクターとすることができる。
なお、上記調光装置では、第１方向に沿って調光装置を見た場合に、第２光変調装置と
リレー装置とは、偏光分離装置を挟んで互いに反対側に配置される。このため、これら第
２光変調装置とリレー装置とが、水平方向に沿って互いに対向するように配置する場合、
第２光変調装置とリレー装置の配置をスペース効率を考慮して選択することができる。さ
らに、鉛直方向に沿って互いに対向するように配置することも可能となる。従って、プロ
ジェクターを小型化することが可能となる。
【００１４】
本発明の第２態様に係るプロジェクターは、画像を形成する画像形成装置と、形成され
た前記画像を投射する投射光学装置と、を備え、前記画像形成装置は、照明装置と、前記
照明装置から出射される光を変調する第１光変調装置と、前記第１光変調装置を所定位置
に配置可能な光学部品用筐体と、を備え、前記光学部品用筐体は、前記照明装置と前記第
１光変調装置との間の光路上において、前記照明装置から出射された光の中心軸に直交す
る面内の照度を領域毎に調整する調光装置を配置可能に構成され、前記調光装置は、前記
照明装置から出射された光を変調する反射型の第２光変調装置と、前記第２光変調装置に
よって変調された変調光を前記第１光変調装置に結像させる反射型のリレー装置と、前記
第２光変調装置から入射される前記変調光を前記リレー装置に導き、前記リレー装置にて
反射された前記変調光を前記第１光変調装置側に出射する偏光分離装置と、前記偏光分離
装置と前記リレー装置との間に配置され、入射される光を略円偏光とする位相差板と、を
備えることを特徴とする。
【００１５】
上記第２態様によれば、上記第１態様に係るプロジェクターと同様に、照明装置から第
２光変調装置までの光路長が、仮に調光装置を外した場合の照明装置から第１光変調装置
までの光路長と略同じになるように、調光装置の光路を設計できる。これにより、調光装
置を備えるプロジェクターと、備えない他の機種のプロジェクターとで、構成する部品の
大部分を共通化できる。従って、異なる複数の機種を製造する際のコストを削減できる他
、当該複数の機種の開発に要する時間を短縮できる。
【００１６】
上記第２態様では、前記光学部品用筐体に前記調光装置が配置されない場合には、前記
偏光分離装置が配置可能な箇所に、少なくとも一部の光を反射する反射装置が配置される
ことが好ましい。
上記第２態様によれば、調光装置の配置位置に、反射装置を配置することにより、調光
装置を備えないプロジェクターを簡易に構成できる。
【図面の簡単な説明】
【００１７】
【図１】本発明の第１実施形態に係るプロジェクターの構成を示す模式図。
【図２】上記第１実施形態における調光装置の構成を示す模式図。
【図３】上記第１実施形態における他のプロジェクターの構成を示す模式図。
【図４】本発明の第２実施形態に係るプロジェクターの構成を示す模式図。
【図５】上記第２実施形態における他のプロジェクターの構成を示す模式図。
【図６】本発明の第３実施形態に係るプロジェクターの構成を示す模式図。
【図７】上記第３実施形態におけるプロジェクターの構成を示す模式図。
【図８】上記第３実施形態における調光装置の構成を示す模式図。
【図９】上記第３実施形態における他のプロジェクターの構成を示す模式図。
【図１０】上記第３実施形態における他のプロジェクターの構成を示す模式図。
【発明を実施するための形態】
【００１８】
［第１実施形態］
以下、本発明の第１実施形態について、図面に基づいて説明する。
［プロジェクターの概略構成］
図１は、本実施形態に係るプロジェクター１の構成を示す模式図である。
本実施形態に係るプロジェクター１は、内部に設けられた第１照明装置４１及び第２照
明装置４３から出射された光を変調して画像情報に応じた画像を形成し、当該画像をスク
リーン等の被投射面（図示省略）に拡大投射する画像表示装置である。このプロジェクタ
ー１は、図１に示すように、当該プロジェクター１の外装を構成する平面視略矩形状の外
装筐体２と、当該外装筐体２に収納される装置本体３とを備える。
【００１９】
［装置本体の構成］
装置本体３は、投射画像を形成する光学ユニット４と、投射光学装置５と、を備える。
この他、図示を省略するが、装置本体３は、プロジェクター１の冷却対象を冷却する冷却
装置、プロジェクター１の各構成部品に電力を供給する電源装置、及び、プロジェクター
１の動作を制御する制御装置を備える。
【００２０】
［投射光学装置の構成］
投射光学装置５は、光学ユニット４によって形成された投射画像を上記被投射面上に拡
大投射する。この投射光学装置５は、複数のレンズ（図示省略）と、当該複数のレンズを
内部に収納する鏡筒とを備えた組レンズとして構成されている。
なお、以下の説明では、外装筐体２の底面部が設置面に対向するようにプロジェクター
１が配置された場合に、投射光学装置５による画像の投射方向をＺ方向とし、Ｚ方向に直
交し、かつ、底面部から天面部に向かう方向（鉛直方向の下側から上側に向かう方向）を
Ｙ方向とし、Ｙ方向及びＺ方向に直交し、かつ、Ｚ方向に沿って見た場合に水平方向に沿
って左から右に向かう方向をＸ方向とする。
【００２１】
［光学ユニットの構成］
光学ユニット４は、第１照明装置４１と、色分離装置４２と、第２照明装置４３と、導
光装置４４と、調光装置４５と、電気光学装置４６と、これら画像の形成に寄与する光学
部品としての各装置４１〜４６を収納する光学部品用筐体４７と、を備える。上記各装置
４１〜４６は、光学部品用筐体４７の内部に設定された設計上の照明光軸に対する所定位
置に配置される。
【００２２】
［第１照明装置の構成］
第１照明装置４１は、赤色光及び緑色光を含み、光束の中心軸に対する直交面内の照度
が均一な照明光を、Ｘ方向とは反対方向に出射する。また、第１照明装置４１は、偏光方
向（電場の振動方向）が、ＺＸ面内で光軸に直交する方向（Ｚ軸に平行な方向）の直線偏
光を照明光として出射する。
なお、後述する調光装置４５が備える偏光分離装置４５１の偏光分離層４５１１に対し
てｐ偏光及びｓ偏光が定義される。
【００２３】
この第１照明装置４１は、図示を省略するが、赤色光及び緑色光を含む光を出射する光
源装置と、インテグレーター光学系としての均一化装置とを有する。
上述の光源装置は、赤色光及び緑色光のそれぞれに対応する固体光源を有する。
なお、光源装置としては、励起光を出射する固体光源と、励起光に応じた蛍光を出射す
る蛍光体層とを備え、固体光源から励起光としての青色光（発光強度のピーク：約４４５
ｎｍ）を蛍光体層に入射し、蛍光体層から赤色光及び緑色光を出射する構成を採用しても
よい。
【００２４】
また、均一化装置は、第１レンズアレイと、第２レンズアレイと、偏光変換素子と、重
畳レンズとを備える。これらのうち第１レンズアレイは、入射される光束を複数の部分光
束に分割し、第２レンズアレイは、第１レンズアレイから入射される複数の部分光束のそ
れぞれを、重畳レンズとともに後述する調光用の第２光変調装置４５２に重畳させる。偏
光変換素子は、ｐ偏光に変換する。
【００２５】
［色分離装置の構成］
色分離装置４２は、第１照明装置４１から入射される光束を、赤及び緑の２つの色光に
分離し、各色光を対応する調光装置４５に入射する。この色分離装置４２は、ダイクロイ
ックミラー４２１及びフィールドレンズ４２２，４２３を有する。
ダイクロイックミラー４２１は、Ｘ方向とは反対方向に入射された照明光に含まれる赤
色光を、Ｚ方向に反射し、緑色光を透過する。ダイクロイックミラー４２１に反射された
赤色光は、フィールドレンズ４２２を介して、赤色用の調光装置４５Ｒに、Ｚ方向に入射
される。一方、ダイクロイックミラー４２１を透過した緑色光は、フィールドレンズ４２
３を介して、緑色用の調光装置４５Ｇに、Ｘ方向とは反対方向に入射される。なお、調光
装置４５Ｒ，４５Ｇは、後に詳述するが、各色光の照度を調整し、変調光を電気光学装置
４６に入射させる。
【００２６】
［第２照明装置の構成］
第２照明装置４３は、光束の中心軸に対する直交面内の照度が均一な青色光を照明光と
して、Ｘ方向に出射する。また、第２照明装置４３は、第１照明装置４１と同様に、照明
光としてｐ偏光を出射する。
この第２照明装置４３は、図示を省略するが、青色光を出射する固体光源と、インテグ
レーター光学系としてのロッドインテグレーターレンズ等の各種光学素子とを有する。
【００２７】
［導光装置の構成］
導光装置４４は、第２照明装置４３から入射される光束である青色の色光を対応する調光装置４５に入射する。この導光装置４４は、ミラー４４１及びフィールドレンズ４４２を備える。第２照明装置４３からＸ方向に出射された青色光は、ミラー４４１に入射し、Ｚ方向に反射され、フィールドレンズ４４２を介して、青色用の調光装置４５Ｂに、Ｚ方向に入射される。なお、調光装置４５Ｂは、後に詳述するが、青色光の照度を調整し、変調光を電気光学装置４６に入射させる。
【００２８】
［電気光学装置の構成］
電気光学装置４６は、後述する調光装置４５から出射された赤、緑及び青の各色に対応
する変調光を色毎に変調して各色の画像光を形成し、当該画像光を合成して投射画像を形
成する。電気光学装置４６は、各色光に応じて設けられた第１光変調装置４６１と、色合
成装置としてのクロスダイクロイックプリズム４６２と、を備える。
【００２９】
第１光変調装置４６１は、入射された色光を画像信号に応じて変調し、画像光としてク
ロスダイクロイックプリズム４６２に入射する。
この第１光変調装置４６１は、ｐ偏光を透過する入射側偏光板４６１１と、透過型の液
晶パネル４６１２と、ｓ偏光を透過する出射側偏光板４６１３とを備える。これら入射側
偏光板４６１１、液晶パネル４６１２、及び出射側偏光板４６１３が、調光装置４５から
出射された変調光の光路上に直線的に配置される。また、液晶パネル４６１２は、後述す
るリレー装置による第１変調光の結像位置に配置される。
【００３０】
上述の第１光変調装置４６１は、各色光に対して設けられている。すなわち、赤色光用の第１光変調装置４６１Ｒは、クロスダイクロイックプリズム４６２のＸ方向側に、緑色光用の第１光変調装置４６１Ｇは、クロスダイクロイックプリズム４６２のＺ方向とは反対側に、青色光用の第１光変調装置４６１Ｂは、クロスダイクロイックプリズム４６２のＸ方向とは反対側に配置される。
【００３１】
［調光装置の構成］
調光装置４５は、入射された色光を変調し、当該色光の中心軸に対する直交面内の照度を領域毎に調整した変調光を電気光学装置４６に入射させる。この調光装置４５は、各色光に対して設けられている。
なお、赤色光用の調光装置４５Ｒは、青色光用の調光装置４５ＢをＸ方向に反転させたものであり、緑色光用の調光装置４５Ｇは、青色光用の調光装置４５ＢをＺＸ面内において反時計回りに９０度回転させたものである点以外は、同様に構成される。以下、青色光用の調光装置４５Ｂについて説明する。
【００３２】
図２は、調光装置４５の一つである青色用の調光装置４５Ｂを示す模式図である。
調光装置４５Ｂは、第１方向Ｄ１に入射された青色光を変調し、第１方向Ｄ１に直交す
る第２方向Ｄ２に第１変調光を出射する。なお、調光装置４５Ｂでは、第１方向Ｄ１はＺ
方向に平行であり、第２方向Ｄ２はＸ方向に平行である。
この調光装置４５Ｂは、偏光分離装置４５１と、第２光変調装置４５２と、リレー装置
４５３と、位相差板としてのλ／４板４５４と、を備え、第１光変調装置４６１ＢのＸ方
向とは反対側に配置されている。
【００３３】
偏光分離装置４５１は、第１方向Ｄ１に対して傾斜した偏光分離層４５１１を有し、偏光分離層４５１１に入射するｓ偏光を反射し、ｐ偏光を透過する。この偏光分離装置４５１は、偏光分離層４５１１が、ＺＸ平面に直交し、第１方向Ｄ１（すなわちＺ軸）に対してＸ方向に４５°傾斜するように配置される。
偏光分離装置４５１は、立方体状の偏光分離素子であり、２つの直角プリズムと、これら直角プリズムの間に配置されｓ偏光を反射し、ｐ偏光を透過する光学膜としての偏光分離層４５１１とを備える。
【００３４】
第２光変調装置４５２は、照度調整用の反射型の液晶パネルである。第２光変調装置４
５２は、偏光分離装置４５１の第１方向Ｄ１（Ｚ方向）側に配置され、第１方向Ｄ１に偏
光分離層４５１１を透過したｐ偏光である色光を変調し、ｓ偏光である変調光を第１方向
Ｄ１と反対方向に出射する。このｓ偏光である変調光は、偏光分離層４５１１によってＸ
方向とは反対方向であり、第１方向Ｄ１に直交する第２方向Ｄ２と反対方向に反射される
。
なお、第２光変調装置４５２は、第１光変調装置４６１と比べて画像形成領域の面積及
び、解像度がそれぞれ異なっていてもよい。例えば、調光用の第２光変調装置４５２は、
画像形成用の第１光変調装置４６１よりも低解像度の液晶パネルを用いてよい。
【００３５】
リレー装置４５３は、入射される変調光の像を、第１光変調装置４６１の液晶パネル４
６１２近傍に結像させる反射型の結像光学系であり、レンズ群４５３１とミラー４５３２
とを備える。リレー装置４５３は、偏光分離装置４５１の第２方向Ｄ２と反対側、すなわ
ち、偏光分離装置４５１の変調光の出射側とは反対側に配置される。偏光分離層４５１１
にて反射された変調光は、第２方向Ｄ２と反対方向にレンズ群４５３１を通過し、ミラー
４５３２にて反射され、第２方向Ｄ２にレンズ群４５３１を透過した後、液晶パネル４６
１２近傍に結像される。
【００３６】
なお、図示を省略するが、ミラー４５３２には、微細な凹凸が形成されており、当該凹
凸により、液晶パネル４６１２近傍に結像される上記変調光の像（第２光変調装置４５２
による変調光の像）を散乱させている。これにより、第２光変調装置４５２の各画素によ
る変調光の照明範囲が拡大されて、液晶パネル４６１２において対応する画素、及び、当
該画素を囲むブラックマトリクスを含む範囲に、第２光変調装置４５２の各画素による変
調光が入射され、投射画像においてブラックマトリクスが目立たなくされる他、モアレ等
の画像の乱れが生じることが抑制される。
【００３７】
λ／４板４５４は、偏光分離層４５１１で反射された変調光の光路上に配置される。こ
の変調光は、λ／４板４５４を通過して時計回り又は反時計周りの略円偏光となり、リレ
ー装置４５３のミラー４５３２で反射されて反対方向に回転する略円偏光となる。その後
、再度、λ／４板４５４を通過する。これにより、変調光は、ｓ偏光として偏光分離装置
４５１から出射され、ｐ偏光として偏光分離装置４５１に入射される。
【００３８】
なお、赤色光用の調光装置４５Ｒは、Ｚ方向に入射された赤色光を変調し、Ｘ方向と反
対方向に第１変調光を出射する。また、緑色光用の調光装置４５Ｇは、Ｘ方向とは反対方
向に入射された緑色光を変調し、Ｚ方向に第１変調光を出射する。
【００３９】
［光学部品用筐体の構成］
光学部品用筐体４７は、各種光学部品を収納する部品収納部材と、当該部品収納部材に
形成された部品収納用の開口部を閉塞する蓋状部材と、を備える。光学部品用筐体４７に
は、内部に照明光軸が設定されており、上記各装置４１〜４６は、当該照明光軸に対する
所定位置に配置される。
【００４０】
光学部品用筐体４７は、図１に破線で示すように、調光装置４５を着脱可能部品として
取り外し可能に配置する配置部４７１を有する。
配置部４７１は、調光装置４５の各部材を照明光軸に対する所定位置に配置するために
光学部品用筐体４７の溝等である。また、配置部４７１は、調光装置４５とは異なる機能
を有する代替部品として反射ミラー４９（図３参照）を配置可能に構成されている。
【００４１】
図３は、本実施形態に係るプロジェクター１００の構成を示す模式図である。
プロジェクター１００は、調光装置４５の代りに反射ミラー４９が配置される光学ユニ
ット４００を備える点以外は、プロジェクター１と同様の構成を有する。
反射ミラー４９は、第１方向Ｄ１に入射された光を電気光学装置４６に導く導光部材で
あり、反射面が偏光分離装置４５１の偏光分離層４５１１に一致するように、配置部４７
１に配置される。反射ミラー４９が配置された状態で、各照明装置４１，４３からの光が
、光軸に沿って進行し、第１光変調装置４６１に重畳される。
【００４２】
このように、配置部４７１に調光装置４５を配置することにより、２つの光変調器が直
列的に配置されたプロジェクター１を構成できる。一方、配置部４７１に反射ミラー４９
を配置することにより、１つの光変調器が配置されたプロジェクター１００を構成できる
。
すなわち、プロジェクター１及びプロジェクター１００において、調光装置４５及び反
射ミラー４９以外の各装置４１〜４４，４６が、光学部品用筐体４７に設定された照明光
軸に沿って配置される。
【００４３】
［第１実施形態の効果］
以上説明した本実施形態に係るプロジェクター１によれば、以下の効果がある。
調光装置４５では、照明装置４１，４３からの光が、反射型の第２光変調装置４５２に
よって変調されるとともに反射され、反射された変調光が、反射型のリレー装置４５３に
よって第１光変調装置４６１に結像される。
このように構成された調光装置４５では、照明装置４１，４３から第２光変調装置４５
２までの光路長が、仮に調光装置４５を外した場合の第１光変調装置４６１までの光路長
とが略同じになるように光路を設計できる。これにより、プロジェクター１から調光装置
４５を外すことによって、調光機能を有さないプロジェクター１００を構成でき、調光装
置４５を備えるプロジェクター１と、備えない他の機種のプロジェクター１００とで、構
成する部品の大部分を共通化できる。従って、異なる複数の機種を製造する際のコストを
削減できる他、当該複数の機種の開発に要する時間を短縮できる。
【００４４】
調光装置４５では、偏光分離装置４５１を通過した光が、第２光変調装置４５２によっ
て変調されて変調光として再び偏光分離装置４５１に入射され、当該偏光分離装置４５１
を通過して、反射型のリレー装置４５３に入射される。この変調光は、反射型のリレー装
置４５３によって反射されて再び偏光分離装置４５１に入射される過程で、λ／４板４５
４によって略円偏光となった光が反射されて略円偏光の回転方向が反転することによって
、偏光方向が変換される。そして、変換された変調光は、各照明装置４１,４３からの光
の入射方向である第１方向Ｄ１と直交する第２方向Ｄ２に、偏光分離装置４５１から出射
される。
これによれば、光路に沿って直列に配置された二つの光変調装置４５２，４６１により
透過光量が調整されるので、投射光学装置５によって投射される投射画像のコントラスト
を向上させることができる。
また、この調光装置４５では、反射型のリレー装置４５３に入射され、リレー装置４５
３によって反射された後に、リレー装置４５３から出射されて、再び偏光分離装置４５１
に入射される過程で、偏光方向が変換される。従って、第２光変調装置４５２から入射さ
れる変調光と、リレー装置４５３によって反射された変調光とを偏光方向の違いによって
、偏光分離装置４５１によってより確実に分離できる。これにより、第２光変調装置４５
２による変調光をリレー装置４５３に確実に導くことができる他、当該リレー装置４５３
によって反射されて第１光変調装置４６１に結像される変調光を、当該第１光変調装置４
６１側に確実に出射できる。
また、反射型のリレー装置４５３が採用されていることにより、第１光変調装置４６１
と第２光変調装置４５２との距離を短縮できる。従って、プロジェクター１を小型化でき
る。
【００４５】
第２光変調装置４５２として反射型の光変調装置（液晶パネル）を用いる。これにより
、調光装置４５の光入射側にレンズ等の光学部品が配置されている場合でも、光入射側と
反対側、すなわち上記光学部品に干渉しない位置に第２光変調装置を配置することが容易
となる。このため、設計の自由度を向上させることができる。
【００４６】
調光装置４５は、照明装置から入射された光を変調した変調光を、入射方向である第１
方向Ｄ１に直交する第２方向Ｄ２に出射する。
このように構成された調光装置４５を用いることにより、調光装置が設けられていない
プロジェクター１００において、反射ミラー４９の配置位置に、当該調光装置４５を配置
できる他、当該ミラーを省略できる。
【００４７】
第２光変調装置４５２を第１方向Ｄ１側に配置し、リレー装置４５３を第２方向Ｄ２と
は反対側に配置する。
このような構成によれば、調光装置４５に対して第１方向Ｄ１に沿って入射される光は
、偏光分離装置４５１を介して第２光変調装置４５２に入射され、当該第２光変調装置４
５２によって反射された変調光は、再び偏光分離装置４５１に入射される。そして、当該
変調光は、偏光分離装置４５１によって第２方向Ｄ２とは反対方向に反射されてリレー装
置４５３に入射され、当該リレー装置４５３によって反射された変調光は、偏光分離装置
４５１を介して第２方向Ｄ２に出射される。これによれば、調光装置４５の各構成を確実
にコンパクトに配置できる。
【００４８】
［第２実施形態］
次に、本発明の第２実施形態について説明する。
本実施形態に係るプロジェクターは、上記プロジェクター１と同様の構成を有する。こ
こで、上記プロジェクター１では、配置部に配置される光学部品として、プリズム型ＰＢ
Ｓにより構成された偏光分離装置を有する調光装置４５が挙げられた。これに対し、本実
施形態に係るプロジェクターでは、プリズム型ＰＢＳに代えてプレート型ＰＢＳにより構
成された偏光分離装置を有する調光装置が配置される。この点で、本実施形態に係るプロ
ジェクターと、上記プロジェクター１とは相違する。なお、以下の説明では、既に説明し
た部分と同一又は略同一である部分については説明を省略する。
【００４９】
［プロジェクターの概略構成］
図４は、本実施形態に係るプロジェクター１Ａの概略構成を示す図である。
本実施形態に係るプロジェクター１Ａは、図４に示すように、外装筐体２に収納される
装置本体３Ａを備える。この装置本体３Ａは、光学ユニット４Ａと、投射光学装置５と、
を備える。この光学ユニット４Ａは、プロジェクター１とは、調光装置４５に代えて、調
光装置４８を備える他は、上記プロジェクター１と同様の構成及び機能を有する。
【００５０】
［調光装置の構成］
調光装置４８は、第１実施形態の調光装置４５と同様に、入射された色光の光束の、中心軸に対する直交面内の照度を調整し、ｐ偏光である第１変調光を電気光学装置４６に入射させる。
なお、調光装置４８は、各色光に対して設けられ、赤色光用を調光装置４８Ｒ、緑色光用を調光装置４８Ｇ、青色光用の調光装置４８Ｂとする。以下、青色光用の調光装置４８Ｂについて説明する。
【００５１】
調光装置４８Ｂは、第１方向Ｄ１に入射されたｐ偏光としての青色光を変調し、Ｘ方向
に第１変調光を出射する。この調光装置４８Ｂは、第２光変調装置４５２と、λ／４板４
５４と、偏光分離装置４８１と、リレー装置４８２と、を備える。
【００５２】
偏光分離装置４８１は、ワイヤーグリッド偏光フィルムが取り付けられたプレート型Ｐ
ＢＳである。この偏光分離装置４８１は、偏光分離層４８１１が第１方向Ｄ１に対して略
４５度傾斜するように配置され、当該偏光分離層４８１１は、格子構造に基づく回折によ
り入射された光束を偏光分離する。具体的に、偏光分離装置４８１は、偏光分離層４８１
１に入射される光のうち、ｐ偏光を透過させ、ｓ偏光を反射させることで、入射された光
を偏光分離する。
【００５３】
リレー装置４８２は、第２光変調装置４５２に入射された照明光が、電気光学装置４６
に向かって第１変調光として出射されるに至る光路上に配置され、第１変調光を液晶パネ
ル４６１２に結像させる反射型の結像光学系である。このリレー装置４８２は、レンズ群
４８３とミラー４８４とを備える。
レンズ群４８３は、第１フィールドレンズ４８３１と、レンズユニット４８３２と、第
２フィールドレンズ４８３３とを備える。第１フィールドレンズ４８３１は、偏光分離層
４８１１と第２光変調装置４５２との間に配置される。レンズユニット４８３２は、ミラ
ー４８４とともに、偏光分離層４８１１で反射された第１変調光の光路上に直線的に配置
される。第２フィールドレンズ４８３３は、偏光分離層４８１１と電気光学装置４６との
間に配置される。
【００５４】
［光学部品用筐体の構成］
光学部品用筐体４７は、図４に破線で示すように、調光装置４８を着脱可能部品として
取り外し可能に配置する配置部４７１を有する。調光装置４８の各部材は、配置部４７１
に対して着脱自在に配置される。また、配置部４７１は、第２フィールドレンズ４８３３
を除く調光装置４８の代替部品として反射ミラー４９（図５参照）を配置可能に構成され
ている。
【００５５】
図５は、本実施形態に係るプロジェクター１００Ａの構成を示す模式図である。
プロジェクター１００Ａは、第２フィールドレンズ４８３３を除く調光装置４８の各部材の代りに、反射ミラー４９が配置される光学ユニット４００Ａを備える点以外は、プロジェクター１Ａと基本的に同様の構成を有する。
反射ミラー４９は、反射面が、偏光分離装置４８１の偏光分離層４８１１に一致するように配置部４７１に配置される。
【００５６】
このように、配置部４７１に調光装置４８を配置することにより、２つの光変調器が直
列的に配置されたプロジェクター１Ａを構成できる。一方、配置部４７１に反射ミラー４
９を配置することにより、１つの光変調器が配置されたプロジェクター１００Ａを構成で
きる。
すなわち、プロジェクター１Ａ及びプロジェクター１００Ａにおいて、調光装置４８及
び反射ミラー４９以外の各装置４１〜４４，４６が、光学部品用筐体４７に設定された照
明光軸に沿って配置される。
【００５７】
［第２実施形態の効果］
以上説明した本実施形態に係るプロジェクター１Ａによれば、上記プロジェクター１と
同様の効果を奏することができる他、以下の効果を奏することができる。
調光装置４８は、板状の偏光分離装置４８１を備えるため、プリズム状の偏光分離素子
を用いる場合と比べて軽量化を図ることができる。
また、板状の偏光分離装置４８１と反射ミラー４９とを略同じ位置で置換するように構
成できる。このため、配置部４７１の偏光分離装置４８１と反射ミラー４９の固定構造の
共通化が容易となる。
【００５８】
［第３実施形態］
次に、本発明の第３実施形態について説明する。
本実施形態に係るプロジェクターは、上記プロジェクター１と同様の構成を有する。こ
こで、上記プロジェクター１では、調光装置４５に対する入射光の入射方向（第１方向Ｄ
１）と、調光装置４５からの出射光の出射方向（第２方向Ｄ２）が直交するように構成さ
れていた。これに対し、本実施形態に係るプロジェクターでは、調光装置に対する入射光
の入射方向と、調光装置からの出射光の出射方向が一致するように構成される。この点で
、本実施形態に係るプロジェクターと、上記プロジェクター１とは相違する。なお、以下
の説明では、既に説明した部分と同一又は略同一である部分については説明を省略する。
【００５９】
［プロジェクターの概略構成］
図６は、本実施形態に係るプロジェクター１Ｂの構成を示す模式図である。図７は、Ｘ
方向側から見たプロジェクター１Ｂの構成を示す模式図である。
本実施形態に係るプロジェクター１Ｂは、外装筐体２と、当該外装筐体２に収納される
装置本体３Ｂとを備える。この装置本体３Ｂは、投射画像を形成する光学ユニット６と、
投射光学装置５と、を備える。
【００６０】
［光学ユニットの構成］
光学ユニット６は、照明装置６１と、色分離光学装置６２と、調光装置６３（６３Ｒ，
６３Ｇ，６３Ｂ）と、電気光学装置６４と、これら各装置６１〜６４を収納する光学部品
用筐体６５と、を備える。上記各装置６１〜６４は、光学部品用筐体６５の内部に設定さ
れた照明光軸に対する所定位置に配置される。
【００６１】
［照明装置の構成］
照明装置６１は、光束の中心軸に対する直交面内の照度が均一な照明光を出射する。ま
た、照明装置６１は、偏光方向が、ＹＺ面に直交する方向（Ｘ軸に平行な方向）の直線偏
光を照明光として出射する。この照明装置６１は、図示を省略するが、赤色光、緑色光及
び青色光を含む光を出射する光源装置と、インテグレーター光学系としての照明光学装置
とを有する。
なお、後述する調光装置６３が備える偏光分離装置６３１の偏光分離層６３１１に対し
てｐ偏光及びｓ偏光が定義される。
【００６２】
色分離光学装置６２は、照明装置６１から入射される光束を、赤、緑及び青の３つの色
光に分離する。この色分離光学装置６２は、ダイクロイックミラー６２１（６２１Ｂ，６
２１Ｇ）と、反射ミラー６２２〜６２４と、リレーレンズ６２５〜６２８と、集光レンズ
６２９（６２９Ｒ，６２９Ｇ，６２９Ｂ）と、を有する。
ダイクロイックミラー６２１は、それぞれ照明光の光束の中心軸（Ｘ軸に平行）に対し
てそれぞれ略４５°の角度で傾斜して配置されている。これらのうち、ダイクロイックミ
ラー６２１Ｂ、青色光を反射させ、それ以外の色光を透過させる。また、ダイクロイック
ミラー６２１Ｇは、緑色光を反射させ、それ以外の色光を透過させる。
【００６３】
青色光は、ダイクロイックミラー６２１Ｂにより、Ｚ方向に９０°屈曲され、反射ミラー６２２により、Ｘ方向とは反対方向に９０°屈曲され、集光レンズ６２９Ｂにより集光され、調光装置６３Ｂに入射される。
調光装置６３は、後に詳述するが、各色光の照度を調整し、変調光を電気光学装置６４に入射させる。
【００６４】
また、緑色光は、ダイクロイックミラー６２１Ｂを透過した後、ダイクロイックミラー
６２１Ｇにより、Ｚ方向に９０°屈曲され、集光レンズ６２９Ｇにより集光され、調光装
置６３Ｇに入射される。
また、赤色光は、ダイクロイックミラー６２１Ｂ，６２１Ｇを透過した後、反射ミラー
６２３により、Ｚ方向に９０°屈曲され、反射ミラー６２４により、Ｘ方向に９０°屈曲
され、集光レンズ６２９Ｒにより集光され、調光装置６３Ｒに入射される。
なお、リレーレンズ６２５は青色光の光路上に、リレーレンズ６２６は、緑色光の光路
上に、リレーレンズ６２７，６２８は赤色光の光路上にそれぞれ配置される。
【００６５】
［電気光学装置の構成］
電気光学装置６４は、第１実施形態の電気光学装置４６と略同様に構成され、調光装置
６３から出射された赤、緑及び青の各色に対応する変調光を色毎に変調した画像光を形成
し、この画像光を合成して投射画像を形成する。この電気光学装置６４は、３つの第１光
変調装置６４１（６４１Ｒ，６４１Ｇ，６４１Ｂ）と、クロスダイクロイックプリズム６
４２と、を備える。
【００６６】
第１光変調装置６４１は、ｓ偏光を透過する入射側偏光板６４１１と、液晶パネル６４
１２と、ｐ偏光を透過する出射側偏光板６４１３とを備え、第１変調光を画像信号に応じ
て変調し、第２変調光としてクロスダイクロイックプリズム６４２に入射する。
クロスダイクロイックプリズム６４２は、各色の第２変調光を合成して投射画像を形成
し、投射光学装置５に向かって出射する。
【００６７】
［調光装置の構成］
調光装置６３は、入射された色光を変調し、当該色光の中心軸に対する直交面内の照度を領域毎に調整した変調光を電気光学装置６４に入射させる。この調光装置６３は、各色光に対して設けられている。
なお、赤色光用の調光装置６３Ｒは、緑色光用の調光装置６３ＧをＺＸ面内において時計回りに９０度回転させたものであり、青色光用のを調光装置６３Ｂは、反時計回りに９０度回転させたものである。以下、緑色光用の調光装置６３Ｇについて説明する。
【００６８】
図８は、調光装置６３の一つである緑色用の調光装置６３Ｇを示す模式図である。
調光装置６３Ｇは、第１方向Ｄ３に入射された緑色光を変調し、第１変調光を第１方向
Ｄ３に出射する。なお、調光装置６３Ｇでは、第１方向Ｄ３はＺ方向に平行である。この
調光装置６３Ｇは、偏光分離装置６３１と、第２光変調装置６３２と、リレー装置６３３
と、λ／４板６３４と、を備える。
【００６９】
偏光分離装置６３１は、第１実施形態の偏光分離装置４５１と配置方向が異なる点以外
は、基本的に同様に構成される。この偏光分離装置６３１は、ｓ偏光を反射し、ｐ偏光を
透過する偏光分離層６３１１を有する。偏光分離装置６３１は、この偏光分離層６３１１
が、Ｚ方向に向かうに従ってＹ方向とは反対方向に向かい、かつ、Ｚ軸に対して４５°傾
斜するように配置される。
【００７０】
第２光変調装置６３２は、照度調整用の反射型の液晶パネルである。第２光変調装置６
３２は、偏光分離装置６３１の第１方向Ｄ３と直交し、かつ、Ｙ方向と反対方向である第
３方向Ｄ４側に配置される。この第２光変調装置６３２は、偏光分離層６３１１に第１方
向Ｄ３に入射し、第３方向Ｄ４に反射されたｓ偏光である色光が入射され、当該色光を変
調し、ｐ偏光である変調光を第３方向Ｄ４と反対方向に出射する。
【００７１】
リレー装置６３３は、第１実施形態のリレー装置４５３と基本的に同様に構成され、第
２光変調装置６３２から出射され第３方向Ｄ４と反対方向に入射される変調光を、第１光
変調装置６４１の液晶パネル６４１２に結像させる反射型の結像光学系である。このリレ
ー装置６３３は、レンズ群６３３１とミラー６３３２とを備え、偏光分離装置６３１にお
ける第３方向Ｄ４とは反対側（すなわち、第２光変調装置６３２から出射される変調光の
入射側と反対側）に配置される。
λ／４板６３４は、図７及び図８に示すように、偏光分離装置６３１とミラー６３３２
との間に配置される。
【００７２】
［光学部品用筐体の構成］
光学部品用筐体６５は、内部に照明光軸が設定されており、上記各装置６１〜６４は、
当該照明光軸に対する所定位置に配置される。
光学部品用筐体６５は、図６及び図７に破線で示すように、調光装置６３を着脱可能部
品として取り外し可能に配置する配置部６５１を有する。
【００７３】
図９は、本実施形態に係るプロジェクター１００Ｂの構成を示す模式図である。図１０
は、Ｘ方向側から見たプロジェクター１００Ｂの構成を示す模式図である。
プロジェクター１００Ｂは、調光装置６３を含まない光学ユニット６００を備える点以
外は、プロジェクター１Ｂと同様の構成を有する。
このように、配置部６５１に調光装置６３を配置することにより、２つの光変調装置が
直列的に配置されたプロジェクター１Ｂが構成される。一方、配置部６５１に調光装置６
３を取り外すことにより、１つの光変調装置を備えるプロジェクター１００Ｂが構成され
る。そして、これら異なるプロジェクター１Ｂとプロジェクター１００Ｂとは、光学ユニ
ット６の各光学部品を共用できる。
【００７４】
［第３実施形態の効果］
以上説明した本実施形態に係るプロジェクター１Ｂによれば、上記プロジェクター１と同様の効果を奏することができる他、以下の効果を奏することができる。
調光装置６３に対する光の入射方向と、当該調光装置６３による変調光の出射方向とは一致する。これによれば、調光装置６３がないプロジェクター１００Ｂにおいて照明装置から出射された光の光路上に、調光装置６３を容易に配置できる。従って、調光装置６３を備えるプロジェクター１Ｂから、調光装置６３を取り外すだけで調光装置を備えないプロジェクター１００Ｂとすることができる。また、調光装置６３の配置する向き（照明光軸を回転軸とする回転方向の向き）を変えることが可能なので、スペースを有効に活用でき、プロジェクターを小型化することが可能となる。
【００７５】
調光装置６３は、照明装置６１からの光の入射方向と、変調光の出射方向が第１方向Ｄ
３であり、リレー装置６３３は第３方向Ｄ４に平行な光軸に沿って配置されている。
このような構成では、照明光軸が設定されたＺＸ面に対して、リレー装置６３３をＹ方
向に沿って配置できる。このため、上記ＺＸ面における調光装置６３の専有面積を小さく
でき、ひいてはプロジェクター１Ｂの小型化を図ることができる。
【００７６】
また、調光装置６３は、偏光分離装置６３１及びリレー装置６３３が第１方向Ｄ３に略
直交する第３方向Ｄ４に沿って配置されている。そして、第２光変調装置６３２とリレー
装置６３３とは、偏光分離装置６３１を挟んで互いに反対側に配置される。このような調
光装置６３では、その配置姿勢を設計する際に、入射方向及び出射方向を維持したまま、
第１方向Ｄ３に重なる仮想線周りの回転方向における複数の姿勢（例えば、正置き時に、
リレー装置が鉛直方向に沿って配置される姿勢や、水平方向に沿って配置される姿勢）か
ら選択可能であり配置姿勢の自由度を向上させることができる。
【００７７】
また、第２光変調装置６３２とリレー装置６３３とが、水平方向に沿って互いに対向す
るように配置する場合（すなわち、照明光軸が設定された仮想面に沿って配置される場合
）でも、第２光変調装置とリレー装置との配置位置をスペース効率を考慮して選択するこ
とができる。また、同様に、スペース効率を考慮して、第２光変調装置６３２とリレー装
置６３３とが、鉛直方向に沿って配置されるように（すなわち、照明光軸が設定された仮
想面に直交するように）調光装置６３の配置を選択できる。従って、プロジェクター１Ｂ
の小型化を図ることができる。
【００７８】
［実施形態の変形］
本発明は上記各実施形態に限定されるものではなく、本発明の目的を達成できる範囲で
の変形、改良等は本発明に含まれるものである。
上記各実施形態では、調光装置を着脱可能部品とする構成を例示したが、本発明はこれ
に限らず、調光装置以外の他の光学部品を着脱可能としてもよい。例えば、調光装置の一
部を着脱可能としてもよく、偏光分離素子をミラーやワイヤーグリッドに置換可能に構成
してもよい。
また、上記各実施形態では、調光装置を着脱可能に取付可能に構成されたプロジェクタ
ーを例示したが、本発明はこれに限らず、調光装置が所定の取付位置に固定されてもよい
。
【００７９】
上記第１実施形態及び第２実施形態では、調光装置の代りに代替部品として反射ミラー
４９を配置することにより、代替部品の配置時に設定された照明光軸が、調光装置の配置
時に設定された照明光軸の一部に一致するように構成されていた。しかしながら、本発明
はこれに限らない。例えば、代替部品が配置された場合、配置部に配置された光学部品に
よって、調光装置配置時の照明光軸から光の進行方向が離れてもよい。すなわち、配置部
内で、光軸が変更された場合でも、配置部までの上流側の光路と、配置部からの下流側の
光路とにおいて光軸が変更されなければよく、この場合でも光学部品を共用できる。
【００８０】
上記第１及び第２実施形態では、光の入射方向と出射方向とが直交する調光装置４５，
４８を用いる構成を例示し、第３実施形態では、光の入射方向と出射方向とが同方向であ
る調光装置６３を備える構成を例示したが、本発明はこれに限らず、これら調光装置４５
，４８，６３のうちの２種類以上を同時に備える構成としてもよい。
【００８１】
上記各実施形態では、偏光分離装置は、ｓ偏光を反射し、ｐ偏光を透過する偏光分離層
を有する構成を例示したが、本発明はこれに限らない。すなわち、ｓ偏光を透過し、ｐ偏
光を反射する偏光分離装置を採用してもよい。
【００８２】
上記各実施形態では、プロジェクターは、第１光変調装置を備えていたが、本発明はこ
れに限らない。すなわち、２つ以下、あるいは、４つ以上の第１光変調装置を用いたプロ
ジェクターにも、本発明を適用可能である。
また、上記各実施形態では、光学ユニットにおける各光学部品の配置位置は適宜変更可
能であり、例えば、平面視略Ｌ字形状を有する構成や、平面視略Ｕ字形状を有する構成を
採用してもよい。
【００８３】
上記各実施形態では、光変調器として液晶パネルを採用する構成を例示したが、入射光
束を制御信号（画像情報）に応じて変調可能な光変調器であれば、他の構成の光変調器を
採用してもよい。例えば、マイクロミラーを用いたデバイスなど、液晶以外の光変調器を
用いたプロジェクターにも、本発明を適用することは可能である。このような光変調装置
を用いた場合でも、偏光板を適宜配置して、変調光の偏光方向を適宜設定すればよい。
【符号の説明】
【００８４】
１，１Ａ，１Ｂ…プロジェクター、４，４Ａ，６…光学ユニット（画像形成装置）、５…
投射光学装置、４１…第１照明装置、４３…第２照明装置、４５，４６，６３…調光装置
、４７，６５…光学部品用筐体、４９…反射ミラー（反射装置）、６１…照明装置、４５
１，６３１…偏光分離装置、４５２，６３２…第２光変調装置、４５３，４８１，６３３
…リレー装置、４５４，６３４…λ／４板（位相差板）、４６１，６４１…第１光変調装
置、４８１…ワイヤーグリッド（偏光分離装置）、Ｄ１，Ｄ３…第１方向、Ｄ２…第２方
向，Ｄ４…第３方向。
【図１】
0006550821.tif 000002
【図２】
0006550821.tif 000003
【図３】
0006550821.tif 000004
【図４】
0006550821.tif 000005
【図５】
0006550821.tif 000006
【図６】
0006550821.tif 000007
【図７】
0006550821.tif 000008
【図８】
0006550821.tif 000009
【図９】
0006550821.tif 000010
【図１０】
0006550821.tif 000011